(57)【要約】【課題】例えばデータセンターのサーバーラック内等の光コネクタプラグシステムの高密度化や省スペース化が可能となり、スペースに制限がある箇所において従来品よりも多くのスペースを確保でき、これによってパネルに対する取付けがガタなく容易に行なえ、しかも方向性のあるプラグの挿入が確実に行なえるようにした光コネクタ相互接続用アダプタを提供する。【解決手段】双方向からの光コネクタプラグ１０を受け入れ可能となる両挿入用開口端を備えた光コネクタ相互接続用アダプタ１において、当該アダプタ本体１は、この対向する両側壁における一方の挿入用開口端１ａ側外面もしくはその近傍に取付フランジ２を形成し、且つ該取付フランジ２を介してアダプタ本体１をパネルＰに取付けるパネル保持部材２０を具備してなる。【選択図】図６
2018081229.tif 000002
【特許請求の範囲】
【請求項１】
双方向からの光コネクタプラグを受け入れ可能となる両挿入用開口端を備えた光コネクタ相互接続用アダプタにおいて、当該アダプタ本体は、この対向する両側壁における一方の挿入用開口端側外面もしくはその近傍に取付フランジを形成し、且つ該取付フランジを介して前記アダプタ本体をパネルに取付けるパネル保持部材を具備してなることを特徴とする光コネクタ相互接続用アダプタ。
【請求項２】
前記パネル保持部材は、他方の挿入用開口端側から取付フランジ側に向けて開放状態となった長尺な片持ち板バネ状の弾性係止片によって形成されてなる請求項１記載の光コネクタ相互接続用アダプタ。
【請求項３】
前記パネル保持部材は、前記取付フランジに形成されたネジ孔を介してパネルにアダプタ本体を固定するネジによって構成されてなる請求項１記載の光コネクタ相互接続用アダプタ。
【請求項４】
前記パネル保持部材は、パネルに対し前記弾性係止片で仮固定してから前記ネジ孔を介してアダプタ本体をパネルにネジで固定するものとしてなる請求項１記載の光コネクタ相互接続用アダプタ。
【請求項５】
前記取付フランジは、パネルの狭小なスペース内側において当該パネルに係止されると同時に前記パネル保持部材によってパネルに保持されるものとしてなる請求項１乃至４のいずれか記載の光コネクタ相互接続用アダプタ。
【請求項６】
前記アダプタ本体には、前記挿入用開口端寄り外面に方向性のあるプラグの挿入方向を表示するマーキングを設けてなる請求項１乃至５のいずれか記載の光コネクタ相互接続用アダプタ。
【発明の詳細な説明】
【技術分野】
【０００１】
本発明は、一方の挿入用開口端に例えばＭＰＯ型コネクタプラグ等が挿着された状態で、例えばデータセンター等のサーバーラック内に実装される光コネクタ相互接続用アダプタに関する。
【背景技術】
【０００２】
従来、一対の相対向する光ファイバコネクタを相互接続することを目的とし、双方向からの光コネクタプラグを受け入れ可能となる両端開口の一体構造によるアダプタを備えることで、製造上における作業性の向上と低コスト化を図ると共に、光コネクタプラグの保持能力の低下を防止することができる光コネクタ相互接続用アダプタが提供されている。
【０００３】
すなわち、前記光コネクタ相互接続用アダプタの具体的な構成としては、図９乃至図１３に示すように、ＭＰＯ型コネクタプラグのフェルール１４２の光ファイバテープ心線ＦＴを相互接続できるように、アダプタ本体２００の両端に、光学軸が一致するようにして、一方の挿入用開口端２０１ａと、他方の挿入用開口端２０１ｂとをそれぞれ設け、両挿入用開口端２０１ａ、２０１ｂそれぞれの内側には、挿着されたＭＰＯ型コネクタプラグを係止するための、先端に鉤状の爪部を備えた撓曲自在なレバー片２０４を対向配置させてある。また、前記アダプタ本体２００の左右側壁は、その各中間部にネジ止め式の取付フランジ２０２が形成され、該取付フランジ２０２と一方の挿入用開口端２０１ａとの間にパネル保持用の弾性係止片３２０が設けられている。  
【０００４】
前記取付フランジ２０２は、パネルＰの内側において当該パネルＰに係止されると同時に前記弾性係止片３２０によってパネルＰの前面に係止保持される（図１２参照）。このとき、アダプタ本体２００は、必要に応じて、取付フランジ２０２中央のネジ孔２０２ａを介してパネルＰにネジ止めされる。また、前記両挿入用開口端２０１ａ、２０１ｂそれぞれの上下いずれかの側壁中央には、ＭＰＯ型コネクタプラグ挿入時のガイドおよび安定保持のために、当該ＭＰＯ型コネクタプラグに設けられたキー突起１５０を嵌合させるよう光軸方向に沿って直線溝条となったキー溝２０５が形成されている。
【０００５】
一方、ＭＰＯ型コネクタプラグを構成するプラグ本体１００は、図１１乃至図１３に示すように、ブーツ１４１の先端（前端）に、ハウジング１４８を介して、光ファイバテープ心線ＦＴ先端に取り付けられたフェルール１４２を収納している。このハウジング１４８内には、前記フェルール１４２をプラグ本体１００前側へ弾性付勢するスプリング１４５を具備している。また、このハウジング１４８に外挿して該ハウジング１４８に対してその軸線方向に確保した可動範囲でスライド移動可能に設けられた筒状のカップリング１４３と、このカップリング１４３とハウジング１４８との間に収納され当該カップリング１４３をハウジング１４８前側へ弾性付勢するスプリング１４６とを具備している。なお、図１１、図１２においてＭ´は方向性のあるプラグ本体１００に設けられたマーキング示す。
【０００６】
前記プラグ本体1００のアダプタ本体２００に対する挿入は、当該プラグ本体1００における前記カップリング１４３から後側に位置する部分、例えばブーツ１４１を作業者が手指で当該アダプタ本体２００に向かって押圧して行う。また、前記プラグ本体１００のアダプタ本体２００からの抜脱は、前記ブーツ１４１側に前記カップリング１４３を引き込むことで行う。
【０００７】
図１４は、従来におけるＬＣ型コネクタプラグを２つ同時に相互接続可能とした２連式のＬＣ型アダプタの一例を示すものであり、アダプタ本体３００の左右側面の中央に各形成された係止突部３０１と、該係止突部３０１に対向して形成されたパネルＰ固定用の弾性係止片３０２とを備え、この弾性係止片３０２を押圧しながらパネルＰのアダプタ取付孔に挿入され、前記係止突部３０１と弾性係止片３０２との間にアダプタ取付孔の開口縁部を挟んで固定するという所謂スナップイン方式を採っている。
【０００８】
さらに、前記アダプタ本体３００の内部中央には中央仕切部（図示省略）が一体形成され、該中央仕切部には、ＬＣ型のプラグ本体先端部を装着保持するための、内側から一方の開口側へ向けて突出した状態の円筒状を成す左右一対のスリーブホルダ３０３（図１４（ｂ）参照）を備えている。そして、前記中央仕切部から突出した左右一対のスリーブホルダ３０３それぞれは、内側中央から一方の開口側へ向けて突出した状態の当該中間仕切部３０４によって仕切られた左右の各嵌合部Ａ、Ｂの内方に配置されている。
【先行技術文献】
【特許文献】
【０００９】
【特許文献１】特になし
【発明の概要】
【発明が解決しようとする課題】
【００１０】
ところで、近年においては、データセンターのサーバーラック内の高密度化、省スペース化に伴いコネクタの小型化が必要となってきており、ショートブーツ化、斜め方向での嵌合等ミリ単位での小型化がされている。
【００１１】
しかしながら、上記したような各種のアダプタ本体は、この左右側壁の各中間部に取付フランジが形成され、該取付フランジと一方の挿入用開口端との間にパネル保持用のバネ性係止片が設けられていることから、パネル内側の狭小なスペース内での取付けが非常に困難なものとなる。すなわち、このアダプタ本体がパネルに取付けられた際には、図１２に示すように、パネル内側の狭小なスペース内でのアダプタ本体の突出量が大きくなってしまい、パネル内側に突出した挿入用開口端へのプラグ本体の挿着作業が非常に困難なものとなる。
【００１２】
また、前記アダプタ本体中央の取付フランジと一方の挿入用開口端との間の短い範囲において弾性係止片３が設けられていることから、該弾性係止片３は十分に長くすることができず、パネルの取付孔へのアダプタ本体挿入時の抵抗が非常に大きくなり、弾性係止片３自体の変形量も大きくなってしまい、これがアダプタ本体自体のガタ付きの原因となっている。
【００１３】
そこで、本発明は、叙上のような従来存した諸事情に鑑み案出されたもので、例えばデータセンターのサーバーラック内等の光コネクタプラグシステムの高密度化や省スペース化が可能となり、スペースに制限がある箇所において従来よりも多くのスペースを確保でき、これによってパネルに対する取付けがガタなく容易に行なえ、さらに方向性のあるプラグの挿入が確実に行なえるようにした光コネクタ相互接続用アダプタを提供することを目的とする。
【課題を解決するための手段】
【００１４】
上述した課題を解決するために、本発明にあっては、双方向からの光コネクタプラグを受け入れ可能となる両挿入用開口端を備えた光コネクタ相互接続用アダプタにおいて、当該アダプタ本体は、この対向する両側壁における一方の挿入用開口端側外面もしくはその近傍に取付フランジを形成し、且つ該取付フランジを介して前記アダプタ本体をパネルに取付けるパネル保持部材を具備してなることを特徴とする。
【００１５】
前記パネル保持部材は、他方の挿入用開口端側から取付フランジ側に向けて開放状態となった長尺な片持ち板バネ状の弾性係止片によって形成されてなる。
【００１６】
前記パネル保持部材は、前記取付フランジに形成されたネジ孔を介してパネルにアダプタ本体を固定するネジによって構成されてなる。
【００１７】
前記パネル保持部材は、パネルに対し前記弾性係止片で仮固定してから前記ネジ孔を介してアダプタ本体をパネルにネジで固定するものとしてなる。
【００１８】
前記取付フランジは、パネルの狭小なスペース内側において当該パネルに係止されると同時に前記パネル保持部材によってパネルに保持されるものとしてなる。
【００１９】
前記アダプタ本体には、前記挿入用開口端寄り外面に方向性のあるプラグの挿入方向を表示するマーキングを設けてなる。
【発明の効果】
【００２０】
本発明によれば、例えばデータセンターのサーバーラック内等の光コネクタプラグシステムの高密度化や省スペース化が可能となり、スペースに制限がある箇所において従来品よりも多くのスペースを確保でき、これによってパネルに取付け易いものとした諸々のプラグセキュリティシステムを構築可能にする。
【００２１】
すなわち、双方向からの光コネクタプラグを受け入れ可能となる両挿入用開口端を備えた光コネクタ相互接続用アダプタにおいて、当該アダプタ本体は、この対向する両側壁における一方の挿入用開口端側外面もしくはその近傍に取付フランジを形成し、且つ該取付フランジを介して前記アダプタ本体をパネルに取り付けるパネル保持部材を具備してなるので、例えばデータセンターのサーバーラック内等の光コネクタプラグシステムのスペースに制限がある箇所において従来よりも多くのスペースを充分に確保することができる。また、本発明は、ＭＰＯ型の光コネクタ相互接続用アダプタのみならず、ＳＣ・ＬＣ・ＭＵ等の他のアダプタにも適用することができる。
【００２２】
前記パネル保持部材は、他方の挿入用開口端側から取付フランジ側に向けて開放状態となった長尺な片持ち板バネ状の弾性係止片によって形成されてなるので、アダプタ本体のパネルへの挿入時の抵抗を小さくし、弾性係止片３自体の変形量も小さくて済み、アダプタ本体は全体としてパネルに対してガタなく取付け易い構造にすることができる。
【００２３】
前記パネル保持部材は、前記取付フランジに形成されたネジ孔を介してパネルにアダプタ本体を固定するネジによって構成されてなるので、アダプタ本体は全体としてパネルに対してネジでしっかりと固定され、これによりアダプタ本体をガタなく取付けることができる。
【００２４】
前記パネル保持部材は、パネルに対し前記弾性係止片で仮固定してから前記ネジ孔を介してアダプタ本体をパネルにネジで固定するものとしたので、弾性係止片とネジ固定との２重の保持機能によって、アダプタ本体は全体としてガタ付くことなく強固に固定された状態となってパネルに取付けることができる。
【００２５】
前記取付フランジは、パネルの狭小なスペース内側において当該パネルに係止されると同時に前記パネル保持部材によってパネルに保持されるものとしてあるので、パネル内面から内側へ向けての突出量を少なくすることができる。なお、アダプタ本体の取付け方向はその逆でも良く、取付けの限定されているスペース側に適用する使い方が好ましい。
【００２６】
前記アダプタ本体には、前記挿入用開口端寄り外面にプラグの挿入方向を表示するマーキングを設けてなるので、アダプタ本体に対する方向性のあるプラグの挿入が確実且つ容易となる。
【図面の簡単な説明】
【００２７】
【図１】本発明を実施するための一形態におけるアダプタ本体の一例を示すもので、（ａ）は平面図、（ｂ）は（ａ）のＸ−Ｘ断面図、（ｃ）は斜視図である。
【図２】同じくアダプタ本体の一例を示すもので、（ａ）は左側面図、（ｂ）は平面図、（ｃ）は右側面図、（ｄ）は正面図、（ｅ）は背面図である。
【図３】ＭＰＯ型のプラグ本体の一例を示す斜視図である。
【図４】同じくＭＰＯ型のプラグ本体の一例を示すもので、（ａ）は左側面図、（ｂ）は平面図、（ｃ）は右側面図、（ｄ）は正面図、（ｅ）は背面図である。
【図５】同じくアダプタ本体にＭＰＯ型のプラグ本体を取付ける前の状態を示すもので、（ａ）は左側面図、（ｂ）は平面図である。
【図６】パネルに取付けたアダプタ本体にＭＰＯ型のプラグ本体を取付けた状態を示す側面図である。
【図７】アダプタ本体にＭＰＯ型のプラグ本体を取付けた状態を示すもので、（ａ）は縦断面図、（ｂ）は横断面図である。
【図８】本発明の他例におけるＭＰＯ型のアダプタ本体を示すもので、（ａ）はネジ止めによる横断面図、（ｂ）はバネとネジとの兼用による横断面図である。
【図９】本発明の更に他例におけるＬＣ型のアダプタ本体を示すもので、（ａ）は斜視図、（ｂ）は正面図、（ｃ）は平面図である。
【図１０】従来例におけるアダプタ本体の一例を示すもので、（ａ）は平面図、（ｂ）は（ａ）のＹ−Ｙ断面図、（ｃ）は斜視図である。
【図１１】同じく従来例におけるアダプタ本体の一例を示すもので、（ａ）は左側面図、（ｂ）は平面図、（ｃ）は右側面図、（ｄ）は正面図、（ｅ）は背面図である。
【図１２】同じく従来例におけるアダプタ本体にＭＰＯ型のプラグ本体を取付ける前の状態を示すもので、（ａ）は左側面図、（ｂ）は平面図である。
【図１３】パネルに取付けた従来例におけるアダプタ本体にＭＰＯ型のプラグ本体を取付けた状態を示す側面図である。
【図１４】従来例におけるアダプタ本体にＭＰＯ型のプラグ本体を取付けた状態を示すもので、（ａ）は縦断面図、（ｂ）は横断面図である。
【図１５】従来例におけるＬＣ型のアダプタ本体を示すもので、（ａ）は斜視図、（ｂ）は正面図、（ｃ）は平面図である。
【発明を実施するための形態】
【００２８】
以下、図面を参照して本発明に係る実施の一形態を詳細に説明する。
本発明に係る光コネクタ相互接続用アダプタ（以後、アダプタ本体１と称す）は、ＭＰＯ型の光コネクタプラグ（以下、プラグ本体１０と称す）を光軸上で相互接続するためのものであり、双方向からのプラグ本体１０を受け入れ可能となるよう両端側に挿入用開口端１ａ、１ｂを備えた角筒状の筐体によって形成されている。
【００２９】
すなわち、図１、図２、および図７に示すように、プラグ本体１０のフェルール１２の光ファイバテープ心線ＦＴを相互接続できるように、当該アダプタ本体１の両端に、光学軸が一致するようにして、一方の挿入用開口端１ａと、他方の挿入用開口端１ｂとをそれぞれ備え、両挿入用開口端１ａ、１ｂそれぞれの内側には、挿着されたプラグ本体１０を係止するための、先端に鉤状の爪部を備えた撓曲自在なレバー片４を対向配置させてある。
【００３０】
また、図１（ａ）、図１（ｃ）、図２、図５、図６、図７（ｂ）に示すように、アダプタ本体１の対向する左右側壁における一方の挿入用開口端１ａ側の外面には、中央にネジ孔２ａを有するネジ止め式による略矩形ブロック状の取付フランジ２を形成し、平面視で略Ｔ型となって構成されている。すなわち、この取付フランジ２自体は横幅が肉厚となっており、その背面と一方の挿入用開口端１ａの端面とを面一に形成することで、アダプタ本体１自体は平面視で略Ｔ型となって構成されている。ところで、前記取付フランジ２はアダプタ本体１の開口端１ａの外面といっても若干内側、すなわち当該開口端１ａの近傍に形成しても良い。このようにアダプタ本体１をパネルＰの取付孔に取付ける際の取付フランジ２の位置を中央ではなく一方の挿入用開口端１ａ側に配置させることで、パネルＰ面から内方へ向けての突出量を少なくしている。なお、前記アダプタ本体１のパネルＰに対する取付け方向はその逆（外方側から）でもよく、取付けの限定されているスペース側に適用する使い方が好ましい。
【００３１】
さらに、図１（ａ）、図１（ｃ）、図２（ａ）、図２（ｂ）、図２（ｃ）、図５（ａ）、図５（ｂ）、図６、図７（ｂ）に示すように、前記アダプタ本体１は、取付フランジ２の近傍位置から他方の挿入用開口端１ｂ側にかけてパネル保持部材２０を設けている。すなわち、このパネル保持部材２０は、その一例として長尺な片持ち状の板バネ状の弾性係止片３によって形成されており、その一端は他方の挿入用開口端１ｂ側に固定され、他端側が一方の挿入用開口端１ａ側の取付フランジ２側に向けて開放状態となっている。このパネル保持部材２０としての弾性係止片３の開放端から取付フランジ２までの間の間隔幅は、パネルＰの幅厚に対応しており、アダプタ本体１の取付フランジ２がパネルＰの狭小なスペース内側において当該パネルＰの取付孔に係止されると同時にこの弾性係止片３によってパネルＰの前面に係止保持される、すなわちパネルＰは、弾性係止片３の開放端と取付フランジ２との間に挟持されるものとしてある（図６および図７（ｂ）参照）。
【００３２】
また、パネル保持部材２０は、他例として図８（ａ）に示すように、前記弾性係止片３に代わって、取付フランジ２中央のネジ孔２ａと、このネジ孔２ａを介してパネルＰにねじ込まれるネジ１９とによって構成してもよい。また、図８（ｂ）に示すように、前記アダプタ本体１は、パネルＰに対し前記弾性係止片３で仮固定してから、前記ネジ孔２ａを介して、アダプタ本体１をパネルＰにネジ１９で締結固定するようにしても良い。
【００３３】
そして、図１（ｂ）、図２（ｄ）、図２（ｅ）、図３、図４（ａ）、図４（ｂ）、図４（ｃ）、図４（ｄ）、図５（ａ）、図５（ｂ）、図７（ａ）に示すように、前記両挿入用開口端１ａ、１ｂそれぞれの上下いずれかの側壁中央には、プラグ本体１０の挿入時のガイドおよび安定保持のために、当該プラグ本体１０の後述するハウジング１８先端に設けられたキー突起１７を嵌合させるよう光軸方向に沿って直線溝条となったキー溝５が形成されている。
【００３４】
また、図１（ａ）、図１（ｃ）、図２（ｂ）、図５（ｂ）に示すように、前記アダプタ本体１には、一方の挿入用開口端１ａおよび他方の挿入用開口端１ｂ寄り外面にプラグの挿入方向を表示するマーキングＭをそれぞれ設けてあり、同じくマーキングＭ´を設けた方向性のあるプラグ本体１０が方向性を間違えることなく正確に挿入できるようにしてある。これらマーキングＭ、Ｍ´としては、例えばアダプタ本体１やプラグ本体１０に凹みをつけたり、白色の目印をつけたりする等、方向性がわかる印であればどのようなものでも良い。これらマーキングＭ、Ｍ´の位置も外面から方向性が確認できる限り図示に限定されない。
【００３５】
ＭＰＯ型のプラグ本体１０は、図３乃至図８に示すように、ブーツ１１の先端（前端）に、ハウジング１８を介して、光ファイバテープ心線ＦＴ先端に取り付けられたフェルール１２を収納している。このハウジング１８内には、前記フェルール１２をプラグ本体１０前側へ弾性付勢するスプリング１５を具備している。また、このハウジング１８に外挿して当該ハウジング１８に対してその軸線方向に確保した可動範囲でスライド移動可能に設けられた筒状のカップリング１３と、このカップリング１３と前記ハウジング１８との間に収納され当該カップリング１３を前記ハウジング１８前側へ弾性付勢するスプリング１６とを具備している。さらに、前記ハウジング１８の先端側上面には、アダプタ本体１のキー溝５に係合してスライド挿入するためのキー突起１７を設けている。
【００３６】
なお、本実施形態では、前記ＭＰＯ型のプラグ本体１０に対応したアダプタ本体１の他に、例えばＳＣ・ＬＣ・ＭＵ型等のプラグ本体（図示省略）に対応した他のアダプタ本体にも適用できる。例えば、図９はＬＣ型のプラグ本体に対応したアダプタ本体３０の一例であり、この場合、プラグ本体を２つ同時に相互接続可能とした所謂スナップイン方式による２連式ＬＣ型アダプタを採用している。
【００３７】
前記アダプタ本体３０は、一対の対向するＬＣ型のプラグ本体を両端開口から相互に挿入可能とする矩形状の筒体によって形成され、内部中央には中央仕切部（図示省略）が一体形成され、該中央仕切部には、ＬＣ型のプラグ本体先端部を装着保持するための、内側から両端の開口側へ向けて突出した状態の円筒状を成す左右一対のスリーブホルダ３３（図９（ｂ）参照）をそれぞれ備えている。
【００３８】
また、前記中央仕切部から突出した左右一対のスリーブホルダ３３は、前記矩形状の筒体によって形成された前記アダプタ本体３０の内側中央に配設された中間仕切部３４によって仕切られてなる左右の各嵌合部Ａ、Ｂの内方にそれぞれ位置している。
【００３９】
前記アダプタ本体３０の左右側面において、各嵌合部Ａ、Ｂ端側の左右外面には矩形突起片状の係止突部３１が各形成され、該係止突部３１に対向してその後方側にはパネルＰ固定用の弾性係止片３２を備えている。この弾性係止片３２を押圧しながらパネルＰのアダプタ取付孔（図示省略）にアダプタ本体３０が挿入され、前記係止突部３１と弾性係止片３２との間にアダプタ取付孔の開口縁部を挟んで固定するという所謂スナップイン方式を採っている。なお、本例においても、上記した本実施形態と同様な作用効果をもたらす。
【００４０】
次に、以上のように構成された形態についての組立・使用の一例について説明する。
まず、図６および図７に示すように、パネルＰの狭小なスペース内側においてアダプタ取付孔（図示省略）にアダプタ本体１を取付ける。この際、前記アダプタ本体１の一方の挿入用開口端１ａ側の外面に形成された取付フランジ２がパネルＰのアダプタ取付孔の開口縁部に係止されると同時に前記パネル保持部材２０としての弾性係止片３によってパネルＰのアダプタ取付孔の前面に係止保持される、すなわちパネルＰは、前記パネル保持部材２０である弾性係止片３の開放端と取付フランジ２との間に挟持される。このとき、前記アダプタ本体１は、必要に応じて、取付フランジ２中央のネジ孔２ａを介してパネルＰにネジ１９で締結固定される。また、図８（ａ）に示すように、アダプタ本体１のパネル保持部材２０として弾性係止片３を設けることなく、取付フランジ２中央のネジ孔２ａを介してパネルＰにネジ１９のみで締結固定するようにしても良い。さらに、アダプタ本体１を弾性係止片３によってパネルＰに仮固定してから、パネルＰにネジ１９で締結固定するようにしても良い。
【００４１】
次に、図７に示すように、プラグ本体１０のアダプタ本体１に対する挿入は、当該プラグ本体１０における前記カップリング１３から後側に位置する部分、例えばブーツ１１を作業者が手指で当該アダプタ本体１に向かって押圧して行う。また、プラグ本体１０のアダプタ本体１からの抜脱は、ブーツ１１側にカップリング１３を引き込むことで行う。
【００４２】
このようにアダプタ本体１をパネルＰの取付孔に取付ける際の取付フランジ２の位置が一方の挿入用開口端１ａ側に配置させていることで、パネルＰ面から内方へ向けての突出量が少なくなり、これによりパネルＰの狭小なスペース内側においてアダプタ本体１へのプラグ本体１０の挿着を容易なものとする。
【００４３】
例えば、図６に示すように、パネルＰの狭小なスペース内側において、前後幅方向におよそ８ｍｍ程度のスペースが確保できるとすると、標準大のアダプタ本体１へのプラグ本体１０の挿着後、パネルＰの後部壁面に対するプラグ本体１０の光ファイバテープ心線ＦＴの接触を防ぐことができる。なお、アダプタ本体１のパネルＰに対する取付け方向はその逆（外方側から）でもよく、取付けの限定されているスペース側に適用する使い方が好ましい。つまり、パネルＰの表側、背面側の大小スペースに応じた使い分けができるものである。
【符号の説明】
【００４４】
Ｐ                  パネル
Ｍ                  マーキング
Ｍ´                マーキング
ＦＴ                光ファイバテープ心線
Ａ、Ｂ              嵌合部
１                  アダプタ本体
１ａ、１ｂ          挿入用開口端
２                  取付フランジ
２ａ                ネジ孔
３                  弾性係止片
４                  レバー片
５                  キー溝
１０                プラグ本体
１１                ブーツ
１２                フェルール
１３                カップリング
１５                スプリング
１６                スプリング
１７                キー突起
１８                ハウジング
１９                ネジ
２０                パネル保持部材
３０                アダプタ本体
３１                係止突部
３２                弾性係止片
３３                スリーブホルダ
３４                中間仕切部
１００              プラグ本体
１４１              ブーツ
１４２              フェルール
１４３              カップリング
１４５              スプリング
１４６              スプリング
１４８              ハウジング
１５０              キー突起
２００              アダプタ本体
２０１ａ、２０１ｂ  挿入用開口端
２０２              取付フランジ
２０２ａ            ネジ孔
２０３              弾性係止片
２０４              レバー片
２０５              キー溝
３００              アダプタ本体
３０１              係止突部
３０２              弾性係止片
３０３              スリーブホルダ
３０４              中間仕切部
【図１】
2018081229.tif 000003
【図２】
2018081229.tif 000004
【図３】
2018081229.tif 000005
【図４】
2018081229.tif 000006
【図５】
2018081229.tif 000007
【図６】
2018081229.tif 000008
【図７】
2018081229.tif 000009
【図８】
2018081229.tif 000010
【図９】
2018081229.tif 000011
【図１０】
2018081229.tif 000012
【図１１】
2018081229.tif 000013
【図１２】
2018081229.tif 000014
【図１３】
2018081229.tif 000015
【図１４】
2018081229.tif 000016
【図１５】
2018081229.tif 000017